(57)【特許請求の範囲】
【請求項１】
導管（３）の周囲に密着しかつ閉止可能であり、また複数個の開口（７）を設けた金属部分（４）であって、内面に膨大填隙性の防火塊（２）を配置した金属部分（４）と、壁（６）に取り付けるための個別の少なくとも１個のＬ字状の壁ハーケン（５）とを具え、この壁ハーケン（５）を金属部分の外面に固定することができる防火パッキンにおいて、前記壁ハーケン（５）は、前記金属部分（４）の前記開口（７）に対して、半径方向に貫通しかつ前記導管（３）の半径方向外方で終端する固定手段（８）を予め有するものとして形成し、この固定手段（８）が前記開口（７）及び／又は前記防火塊（２）内に自己規制的に固定可能にしたことを特徴とする防火パッキン。
【請求項２】
前記金属部分（４）を、前記開口（７）を開けた金属プレートにより構成した請求項１記載の防火パッキン。
【請求項３】
前記固定手段（８）は、少なくとも一部の周囲の直径（Ｕ）が前記開口（７）の本来の内径（Ｉ）よりも拡開可能なゾーン（Ｚ）だけ大きい直径を有するものとした請求項１又は２記載の防火パッキン。
【請求項４】
前記固定手段を端部が尖って突出するとげ状に構成した請求項１乃至３のうちのいずれか一項に記載の防火パッキン。
【請求項５】
前記固定手段（８）を釘状に構成した請求項１乃至４のうちのいずれか一項に記載の防火パッキン。
【請求項６】
前記固定手段（８）に、前記開口（７）の空間内に配置し、安定した自己規制位置に無駄なく有利に収容できる少なくとも１個の長さ領域（Ｌ）を設けた請求項１乃至５のうちのいずれか一項に記載の防火パッキン。
【請求項７】
前記壁ハーケン（５）に、互いに間隔を開けて配置した２個の固定手段（８）を設けた請求項１乃至６のうちのいずれか一項に記載の防火パッキン。
【請求項８】
前記固定手段（８）を、金属部分（４）の端部相互が重なり合うオーバーラップ領域（Ｘ）に存在する前記開口（７）に貫通させた請求項１乃至７のうちのいずれか一項に記載の防火パッキン。
【発明の詳細な説明】
【０００１】
【発明の属する技術分野】
本発明は、壁に取り付けることができる防火パッキンに関するものである。
【０００２】
【従来の技術】
このような防火パッキンは、火災の際に、膨大填隙性の防火塊で、壁とこの壁を通過する導管との間に生ずる環状の空間を火炎が透過しないように気密に閉鎖する。異なる導管に対しては、異なる長さ及び内径の防火パッキンのセットを使用する。
【０００３】
独国特許公開第１９８５２１２０号公報には、導管の周りに簡単な作業で巻き付けることができ、規則的に配列した開口を設けた板金が記載されている。防火パッキンの端面に外側から半径方向内方に掛合する個別のＬ字状壁ハーケンによって壁に取り付けることができるようにしている。このような壁ハーケンは、防火パッキン毎に適合する特定長さのものを用意しておかねばならない。
【０００４】
独国特許第４，４１１，２２０号明細書には、ユーザーが現場で導管の周囲に曲げて閉止する板金を設けた防火パッキンが記載されており、この板金の半径方向内面に沿って膨張性グラファイトのような膨大填隙防火塊を配置する。防火パッキンの板金に形成した鳩目に半径方向外方から掛合可能な着脱自在に配置する個別のＬ字状の壁ハーケンによって、壁に取り付けることができるようにしている。鳩目の形成は、特別でコストのかかる工具を必要とする。
【０００５】
【発明が解決しようとする課題】
従って、本発明の目的は、大量にかつ技術的に簡単な製造をすることができる防火パッキンを得るにある。
【０００６】
【課題を解決するための手段】
この目的を達成するため本発明防火パッキンは、導管の周囲に密着しかつ閉止可能であり、また複数個の開口を設けた金属部分であり、内面に膨大填隙性の防火塊を配置した金属部分と、壁に取り付けるための個別の少なくとも１個のＬ字状の壁ハーケンとを具え、この壁ハーケンを金属部分の外面に固定することができる防火パッキンにおいて、前記壁ハーケン（５）は、前記金属部分の前記開口に対して、半径方向に貫通しかつ前記導管の半径方向外方で終端する固定手段を予め有するものとして形成し、この固定手段が前記開口及び／又は前記防火塊内に自己規制的に固定可能にしたことを特徴とする。
【０００７】
金属部分の開口及び／又は防火塊に固定手段が自己規制的に固定することによって、着脱自在に配置する壁ハーケンの固定手段は単に開口に圧入するだけで固定することができ、従って、同一の壁ハーケンを異なる長さの防火パッキンに対しても適用することができ、融通性が高まり、一つのツールで大量の防火パッキンを製造することができる。
【０００８】
防火パッキンの金属部分は、有孔プレート又はエキスパンドメタルのような開口を形成した金属プレートにより構成すると、半製品材料で既に開口が設けられており、最終仕上げ工程を省略できて有利である。
【０００９】
前記固定手段は、少なくとも一部の周囲の直径が開口の本来の内径よりも拡開可能なゾーンだけ、例えば、１．０ｍｍだけ大きい直径を有するものとすると、開口は変形に打ち勝った後に、金属プレートの弾性により固定手段は摩擦力によるロックを生じて自己規制（自己保持）することができる。
【００１０】
固定手段を端部が尖って突出するとげ状に構成すると、開口に挿入し易くなって好適である。
【００１１】
固定手段に、前記開口の空間内に配置し、安定した自己規制位置に無駄なく有利に収容できる少なくとも１個の長さ領域を、例えば、半径方向拡大部又は幅広ハーケンに隣接させて設けると、振動応力が加わっても壁ハーケンの金属部分への固定がより一層確実になり、好適である。
【００１２】
壁ハーケンに、互いに間隔を開けて配置した２個の固定手段を設けると、壁ハーケンの金属部分に対する固定が安定して好適である。
【００１３】
固定手段を、金属部分（４）の端部相互が重なり合うオーバーラップ領域に存在する開口に貫通させるようにすると、金属部分は固定手段によって周方向を閉止することができて好適である。
【００１４】
【発明の実施の形態】
次に、図面につき本発明の好適な実施の形態を説明する。
【００１５】
図１に示すように、半径方向内側に周方向に分布させた膨大填隙性の防火塊２を有する防火パッキン１には、導管３の周囲で湾曲しかつオーバーラップ領域Ｘを有して閉ループを形成するエキスパンドメタルの金属部分４と、３個のＬ字状の壁ハーケン５とを設け、これら壁ハーケン５によって金属部分４をねじにより壁６に取り付ける。壁ハーケン５は金属部分４の外面に固定し、このとき、金属部分４の開口７のそれぞれに６個の固定手段８を半径方向に貫通させて開口７に自己規制的に固定し、固定手段８を導管３の半径方向外方で終端させる。オーバーラップ領域Ｘに配置する壁ハーケン５は周方向を閉じる金属部分４の両端を同時に連結する。
【００１６】
図２及び図３に示すように、端部がとげのように尖って壁ハーケン５から突出するくぎ状の固定手段８における一部の直径がＵであり、開口７の元々の内径Ｉからハッチングで示した弾性的に拡開するゾーンＺだけ突出する。固定手段８は半径方向膨大部９に隣接する中間の長さ領域Ｌを有し、この長さ領域Ｌは自己規制位置において開口７の空間に配置される。
【図面の簡単な説明】
【図１】  本発明防火パッキンの斜視図である。
【図２】  図１の壁ハーケン及び固定手段の拡大斜視図である。
【図３】  図２のサークルIII における拡大詳細図である。
【符号の説明】
１  防火パッキン
２  填隙防火塊
３  導管
４  金属部分
５  壁ハーケン
６  壁
７  開口
８  手段
９  半径方向膨大部
【図１】
0004362039.tif 000002
【図２】
0004362039.tif 000003
【図３】
0004362039.tif 000004